【手続補正書】
【提出日】平成17年4月26日(2005.4.26)
【手続補正１】
【補正対象書類名】特許請求の範囲
【補正対象項目名】全文
【補正方法】変更
【補正の内容】
【特許請求の範囲】
【請求項１】
デジタル番組通信ストリームにおいて利用可能な異なる番組コンテンツの数量を増加させる方法であって、
複数のデジタル番組コンポーネントを作成する作成工程であって、それら複数のデジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントが、異なる番組コンテンツの一つのユニットであるものと、
前記複数のデジタル番組コンポーネントの少なくとも一つのサブセットを、少なくとも一つのコンポーネント番組セグメントを含むように定義する定義工程であって、その少なくとも一つのコンポーネント番組セグメントも、異なる番組コンテンツの一つのユニットであるものと、
前記少なくとも一つのサブセットの複数のデジタル番組コンポーネントを少なくとも、前記デジタル番組通信ストリーム内に挿入する挿入工程と
を含み、標準的なデジタル番組セグメントについて通常割り当てられる前記帯域幅を増加させることなく、前記デジタル番組通信ストリームにおいて利用可能な異なる番組コンテンツの数量を、前記少なくとも一つのコンポーネント番組セグメントに対応する異なる番組コンテンツのユニットの数によって増加させることが可能である方法。
【請求項２】
番組通信システムにより、異なる番組コンテンツを大きな数量で提供する方法であって、前記異なる番組コンテンツが、デジタル番組通信ストリームを介して複数人のユーザに送信されるものであって、
複数のデジタル番組コンポーネントを同期させる同期工程であって、それら複数のデジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントが、異なる番組コンテンツの一つのユニットであるものと、
前記複数のデジタル番組コンポーネントの少なくとも一つのサブセットを、少なくとも一つのコンポーネント番組セグメントを含むように定義する定義工程であって、その少なくとも一つのコンポーネント番組セグメントも、異なる番組コンテンツの一つのユニットであるものと、
前記少なくとも一つのサブセットのデジタル番組コンポーネントを前記デジタル番組通信ストリーム内に挿入する挿入工程と、
前記デジタル番組通信ストリームを前記複数人のユーザに送信する送信工程と
を含み、標準的なデジタル番組セグメントについて通常割り当てられる前記帯域幅を増加させることなく、前記デジタル番組通信ストリームによって送信される異なる番組コンテンツの数量を、前記少なくとも一つのコンポーネント番組セグメントに対応する異なる番組コンテンツのユニットの数によって増加させることが可能である方法。
【請求項３】
番組通信システムにより、異なる番組コンテンツを大きな数量で受信する方法であって、前記異なる番組コンテンツが、デジタル番組通信ストリームを介して少なくとも一人のユーザによって受信されるものであって、
同期させられた複数のデジタル番組コンポーネントを前記デジタル番組通信ストリームによって受信する受信工程であって、それら複数のデジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントが、異なる番組コンテンツの一つのユニットであるものと、
前記複数のデジタル番組コンポーネントの少なくとも一つのサブセットを、提供のために、選択する選択工程であって、その少なくとも一つのサブセットが、少なくとも一つのコンポーネント番組セグメントを含み、その少なくとも一つのコンポーネント番組セグメントも、異なる番組コンテンツの一つのユニットであるものと
を含み、標準的なデジタル番組セグメントについて通常割り当てられる前記帯域幅を増加させることなく、前記デジタル番組通信ストリームによって受信される異なる番組コンテンツの数量を、前記少なくとも一つのコンポーネント番組セグメントに対応する異なる番組コンテンツのユニットの数によって増加させることが可能である方法。
【請求項４】
異なる番組コンテンツを作成する方法であって、デジタル番組通信ストリームによって送信可能である異なる番組コンテンツの数量が増加させられるものであって、
複数のデジタル番組コンポーネントを作成する作成工程であって、それら複数のデイジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントが、異なる番組コンテンツの一つのユニットであるものと、
前記複数のデジタル番組コンポーネントを同期させる同期工程と、
前記複数のデジタル番組コンポーネントの少なくとも一つのサブセットを、少なくとも一つのコンポーネント番組セグメントを含むように定義する定義工程であって、その少なくとも一つのコンポーネント番組セグメントも、異なる番組コンテンツの一つのユニットであるものと
を含み、標準的なデジタル番組セグメントについて通常割り当てられる前記帯域幅を増加させることなく、前記デジタル番組通信ストリームにおいて送信に利用可能な異なる番組コンテンツの数量を、前記少なくとも一つのコンポーネント番組セグメントに対応する異なる番組コンテンツのユニットの数によって増加させることが可能である方法。
【請求項５】
番組通信システムにより、異なる番組コンテンツを大きな数量で提供するシステムであって、前記異なる番組コンテンツが、デジタル番組通信ストリームを介して複数のユーザに送信されるものであって、
同期させられた複数のデジタル番組コンポーネントをインタリーブするエンコーダであって、前記複数のデジタル番組コンポーネントの少なくとも一つのサブセットが、少なくとも一つのコンポーネント番組セグメントを含み、その少なくとも一つのコンポーネント番組セグメントが、異なる番組コンテンツの一つのユニットであるものと、
前記複数のデジタル番組コンポーネントを前記デジタル番組通信ストリームにて前記複数のユーザに送信する送信器であって、前記複数のデジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントも、異なる番組コンテンツの一つのユニットであるものと
を含み、標準的なデジタル番組セグメントについて通常割り当てられる前記帯域幅を増加させることなく、前記デジタル番組通信ストリームによって前記送信器によって送信される異なる番組コンテンツの数量を、前記少なくとも一つのコンポーネント番組セグメントに対応する異なる番組コンテンツのユニットの数によって増加させることが可能であるシステム。
【請求項６】
番組通信システムにより、異なる番組コンテンツを大きな数量で受信するシステムであって、前記異なる番組コンテンツが、デジタル番組通信ストリームを介して少なくとも一人のユーザによって受信されるものであって、
同期させられた複数のデジタル番組コンポーネントを前記デジタル番組通信ストリームにて受信するチューナであって、前記複数のデジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントが、異なる番組コンテンツの一つのユニットであるものと、
前記複数のデジタル番組コンポーネントの少なくとも一つのサブセットを分離して選択するデコーダであって、前記少なくとも一つのサブセットが、少なくとも一つのコンポーネント番組セグメントを含み、その少なくとも一つのコンポーネント番組セグメントも、異なる番組コンテンツの一つのユニットであるものと、
前記少なくとも一つのコンポーネント番組セグメントを、それを前記少なくとも一人のユーザに提供するために再生装置に出力する番組出力部と、
それらチューナ、デコーダおよび番組出力部の各機能を調整して指令を与えるプロセッサと
を含み、標準的なデジタル番組セグメントについて通常割り当てられる前記帯域幅を増加させることなく、前記デジタル番組通信ストリームによって前記受信器によって受信される異なる番組コンテンツの数量を、前記少なくとも一つのコンポーネント番組セグメントに対応する異なる番組コンテンツのユニットの数によって増加させることが可能であるシステム。
【請求項７】
番組通信システムにより、異なる番組コンテンツを大きな数量で提供するシステムであって、前記異なる番組コンテンツが、デジタル番組通信ストリームを介して複数のユーザに送信されるものであって、
同期させられた複数のデジタル番組コンポーネントを組み合わせる組合せ手段であって、それら複数のデジタル番組コンポーネントの少なくとも一つのサブセットが、少なくとも一つのコンポーネント番組セグメントを含み、その少なくとも一つのコンポーネント番組セグメントが、異なる番組コンテンツの一つのユニットであるものと、
前記複数のデジタル番組コンポーネントを前記デジタル番組通信ストリームにて前記複数のユーザに送信する送信手段であって、標準的なデジタル番組セグメントについて通常割り当てられる帯域幅より狭いかまたは等しい前記デジタル番組通信ストリームの帯域幅を利用し、前記標準的なデジタル番組セグメントも、異なる番組コンテンツの一つのユニットであるものと
を含み、標準的なデジタル番組セグメントについて通常割り当てられる前記帯域幅を増加させることなく、前記デジタル番組通信ストリームによって前記送信手段によって送信される異なる番組コンテンツの数量を、前記少なくとも一つのコンポーネント番組セグメントに対応する異なる番組コンテンツのユニットの数によって増加させることが可能であるシステム。
【請求項８】
番組通信システムにより、異なる番組コンテンツを大きな数量で受信するシステムであって、前記異なる番組コンテンツが、デジタル番組通信ストリームを介して少なくとも一人のユーザによって受信されるものであって、
同期させられた複数のデジタル番組コンポーネントを前記デジタル番組通信ストリームによって受信する受信手段であって、前記複数のデジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントが、異なる番組コンテンツの一つのユニットであるものと、
前記複数のデジタル番組コンポーネントの少なくとも一つのサブセットを選択する選択手段であって、その少なくとも一つのサブセットが、少なくとも一つのコンポーネント番組セグメントを含み、その少なくとも一つのコンポーネント番組セグメントも、異なる番組コンテンツの一つのユニットであるものと、
前記少なくとも一つのコンポーネント番組セグメントを、それを前記少なくとも一人のユーザに提供する提供手段に出力する出力手段と、
それら受信手段、選択手段および出力手段の各機能を調整して指令を与える処理手段と
を含み、標準的なデジタル番組セグメントについて通常割り当てられる前記帯域幅を増加させることなく、前記デジタル番組通信ストリームによって前記受信手段によって受信される異なる番組コンテンツの数量を、前記少なくとも一つのコンポーネント番組セグメントに対応する異なる番組コンテンツのユニットの数によって増加させることが可能であるシステム。
【請求項９】
番組通信システムにより、異なる広告セグメントを大きな数量で受信する方法であって、前記異なる広告セグメントが、デジタル番組通信ストリームを介して少なくとも一人のユーザによって受信されるものであって、
同期させられた複数のデジタル番組コンポーネントを前記デジタル番組通信ストリームによって受信する受信工程であって、前記複数のデジタル番組コンポーネントが、フルモーションのオーディオ・ビデオ・セグメントについて通常割り当てられる帯域幅より狭いかまたは等しい前記デジタル番組通信ストリームの帯域幅を利用し、前記フルモーションのオーディオ・ビデオ・セグメントフルモーションのオーディオ・ビデオ・セグメントが、異なる番組コンテンツの一つのユニットであるものと、
前記複数のデジタル番組コンポーネントの少なくとも一つのサブセットを、提供のために、選択する選択工程であって、その選択が、プロセッサが少なくとも一つのコマンド・コードを実行することによって行われ、その選択が、前記少なくとも一つのサブセットを含む複数のパケットのパケット識別番号に基づいて行われ、前記少なくとも一つのサブセットが、少なくとも一つの広告セグメントを含み、その少なくとも一つの広告セグメントも、異なる番組コンテンツの一つのユニットであるものと
を含み、フルモーションのオーディオ・ビデオ・セグメントについて通常割り当てられる帯域幅を増加させることなく、前記デジタル番組通信ストリームによって受信される異なる番組コンテンツの数量を、前記少なくとも一つの広告セグメントに対応する異なる番組コンテンツのユニットの数によって増加させることが可能である方法。
【請求項１０】
前記複数のデジタル番組コンポーネントを前記デジタル番組通信ストリーム内に挿入する挿入工程をさらに含む請求項１に記載の方法。
【請求項１１】
前記標準的なデジタル番組セグメントに加えて、前記複数のデジタル番組コンポーネントが、前記デジタル番組通信ストリーム内に挿入される請求項２，３，４または１０に記載の方法。
【請求項１２】
前記デジタル番組通信ストリームが、地上テレビ放送、ケーブル、衛星、マイクロ波、無線、電話、無線電話、デジタル加入者線、光ファイバ、パーソナル通信ネットワークおよび通信ネットワークから成るグループから選択される通信媒体を介して受信、搬送または送信される請求項１，２または３に記載の方法。
【請求項１３】
特定の異なる番組コンテンツを前記複数人のユーザのうちの少なくとも一人に提供するため、前記少なくとも一つのコンポーネント番組セグメントのターゲットを、前記少なくとも一人のユーザに向かって設定するターゲット設定工程をさらに含む請求項２に記載の方法。
【請求項１４】
前記標準的なデジタル番組セグメントが、その品質に関して低下させられ、それにより、標準的なデジタル番組セグメントについて通常割り当てられる前記帯域幅より狭い帯域幅を利用する請求項１，２，３または４に記載の方法。
【請求項１５】
前記複数のデジタル番組コンポーネントが、ビデオ、静止フレーム・ビデオ、オーディオ、グラフィックス、テクスト、アニメーションおよびメディア・オブジェクトから成るグループから選択される請求項１，２，３，４または９に記載の方法。
【請求項１６】
前記複数のデジタル番組コンポーネントを、それらコンポーネントが前記マルチプレクサに到達する前に同期させる同期部をさらに含む請求項５または７に記載のシステム。
【請求項１７】
前記デジタル番組送信ストリームが、地上テレビ放送、ケーブル、衛星、マイクロ波、無線、電話、無線電話、デジタル加入者線、光ファイバ、パーソナル通信ネットワークおよび通信ネットワークから成るグループから選択される通信媒体を通じて送信または受信される請求項５または７に記載のシステム。
【請求項１８】
前記通信ネットワークが、インターネット、イントラネット、ローカル・エリア・ネットワーク、ワイド・エリア・ネットワーク、公衆ネットワークおよびプライベート・ネットワークから成るグループから選択される請求項１２に記載の方法。
【請求項１９】
前記異なる番組コンテンツが、広告番組コンテンツを含む請求項１，２，３または４に記載の方法。
【請求項２０】
前記異なる番組コンテンツが、ニュース、スポーツ、娯楽、連続テレビ・コメディ、音楽ビデオ、ゲーム・ショー、映画、ドラマ、教育番組、双方向ビデオ・ゲームおよび生番組から成るグループから選択される番組コンテンツを含む請求項１，２，３または４に記載の方法。
【請求項２１】
前記少なくとも一つのコンポーネント番組セグメントのうちの第１のものから前記少なくとも一つのコンポーネント番組セグメントのうちの第２のものにスイッチングする信号スイッチャをさらに含み、前記信号スイッチャによるスイッチングが、シームレスなものであり、それにより、そのスイッチングが、前記少なくとも一つのコンポーネント番組セグメントのうちの前記第１のものの再生と前記少なくとも一つのコンポーネント番組セグメントのうちの前記第２のものの再生と間において、前記少なくとも一人のユーザによって知覚され得る遅延なしに、実行される請求項６に記載のシステム。
【請求項２２】
異なる番組コンテンツをシステム帯域幅を有する番組通信システムによって提供する方法であって、
番組コンテンツを前記番組通信システムを通じて送信する送信工程であって、前記番組コンテンツが、前記システム帯域幅の第１部分を利用するものと、
前記システム帯域幅の第２部分を利用することにより、複数の番組コンポーネントを前記番組通信システムを通じて送信する送信工程であって、それら番組コンポーネントが、組み合わされると一つ以上の番組セグメントになり得るものと
を含み、前記番組コンテンツを、前記第１および第２の帯域幅部分が前記システム帯域幅より大きくならないように調整する方法。
【請求項２３】
異なる番組コンテンツをシステム帯域幅を有する番組通信システムによって受信する方法であって、
第１番組コンテンツを前記番組通信システムを通じて受信する受信工程であって、その番組コンテンツが、前記システム帯域幅の第１部分を利用するものと、
前記システム帯域幅の第２部分を利用することにより、複数の番組コンポーネントを前記番組通信システムを通じて受信する受信工程であって、前記複数の番組コンポーネントが、組み合わされると一つ以上の番組セグメントになり得るものと
を含み、前記番組コンテンツを、前記第１および第２の帯域幅部分が前記システム帯域幅より大きくならないように調整する方法。
【請求項２４】
異なる番組コンテンツを最大帯域幅を有する番組トランスポート・ストリームによって提供する方法であって、
前記トランスポート・ストリーム内における利用可能帯域幅を特定する特定工程であって、その利用可能帯域幅が、前記最大帯域幅より狭いかまたは等しいものと、
複数の番組コンポーネントを前記利用可能帯域幅のうちの少なくともいくつか内に配置する配置工程と
を含み、前記複数の番組コンポーネントが、組み合わされると、前記異なる番組コンテンツの複数のユニットにそれぞれ対応する複数の番組セグメントとなり得る方法。
【請求項２５】
異なる番組コンテンツを番組トランスポート・ストリームによって送信することを可能にする方法であって、
ターゲットが設定された視聴者プロファイルに従って前記異なる番組コンテンツを想定する想定工程と、
前記トランスポート・ストリームにおける利用可能帯域幅を特定する利用可能帯域幅特定工程と、
前記異なる番組コンテンツを具現化するとともに前記利用可能帯域幅内に収めるために、複数の番組コンポーネントを作成する作成工程と、
前記トランスポート・ストリームにおいて利用するために前記複数の番組コンポーネントを提供する提供工程と
を含む方法。
【請求項２６】
前記番組コンポーネントの各々が、前記帯域幅のうちの個別部分を利用し、各個別部分が、前記第１の帯域幅部分より狭い請求項２２または２３に記載の方法。
【請求項２７】
前記複数の異なる番組セグメントが、前記番組コンテンツに置き換えられる請求項２２，２３または２６に記載の方法。
【請求項２８】
前記特定工程が、
通常番組の期間を前記トランスポート・ストリームから除去する工程と、
その除去された期間を前記利用可能帯域幅として特定する工程と
を含む請求項２４または２５に記載の方法。
【請求項２９】
ビデオとオーディオとのペアを異なる番組コンテンツであってその数量が大きいものにトレードオフする方法であって、
ビデオとオーディオとの第１ペアを送信するために送信システムによって利用される帯域幅を決定する決定工程と、
前記第１ペアのビデオとオーディオの送信を停止させる停止工程と、
前記トランスポート・ストリーム内の複数の番組コンポーネントを前記第１ペアのビデオとオーディオに置き換える置換工程であって、前記複数の番組コンポーネントが、組み合わされると複数の異なる番組コンテンツになり得るものであるとともに、それぞれの帯域幅部分を利用するものと
を含み、前記帯域幅部分の合計が前記帯域幅を超えない方法。
【請求項３０】
前記帯域幅が、ビデオとオーディオとの第２ペアの帯域幅利用レートに従って変化する請求項２９に記載の方法。
【手続補正２】
【補正対象書類名】明細書
【補正対象項目名】００１７
【補正方法】変更
【補正の内容】
【００１７】
本発明は、デジタル双方向番組技術の要素を利用することも可能である。異なる広告または他の番組セグメントであって本発明の帯域幅トレードオフ技術を用いて制作され得るものの数が非常に増加するため、特定のコンテンツのターゲットを特定のユーザに設定する際の顕在化度(explicitness)を増加させることが可能である。双方向番組システムに保存されるユーザ・プロファイル情報を参照することにより、特定の広告もしくは他の番組セグメント、または中心的な広告もしくは他の番組セグメントについての特定のバリエーションが、特定のユーザまたはユーザらに提供するために選択されるか、または、特定のユーザまたはユーザらによって選択されるために提供されることが可能であり、それら特定のユーザまたはユーザらのプロファイルが、上記広告または番組コンテンツによってターゲットが設定された視聴者プロファイルにちょうど一致する。しかし、前記トレードオフ技術は、その用途が広告に限定される必要はない。それらトレードオフ技術は、ニュース番組、スポーツ番組、娯楽番組、連続テレビ・コメディ、音楽ビデオ番組、ゲーム・ショー番組、映画、ドラマ、教育番組、および双方向ビデオ・ゲームを提供する環境において容易に利用することが可能であり、生番組を提供する環境においてさえ容易に利用することが可能である。それらトレード・オフ技術は、天気予報および株式市場の最新情報のような個別化された情報サービス(individualized information service)を提供する環境において利用することも可能である。
本発明によれば、下記の様態が提供される。
（１）  デジタル番組通信ストリームにおいて利用可能な異なる番組コンテンツの数量を増加させる方法であって、
複数のデジタル番組コンポーネントを作成する作成工程であって、それら複数のデジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントが、異なる番組コンテンツの一つのユニットであるものと、
前記複数のデジタル番組コンポーネントの少なくとも一つのサブセットを、少なくとも一つのコンポーネント番組セグメントを含むように定義する定義工程であって、その少なくとも一つのコンポーネント番組セグメントも、異なる番組コンテンツの一つのユニットであるものと、
前記少なくとも一つのサブセットの複数のデジタル番組コンポーネントを少なくとも、前記デジタル番組通信ストリーム内に挿入する挿入工程と
を含み、標準的なデジタル番組セグメントについて通常割り当てられる前記帯域幅を増加させることなく、前記デジタル番組通信ストリームにおいて利用可能な異なる番組コンテンツの数量を、前記少なくとも一つのコンポーネント番組セグメントに対応する異なる番組コンテンツのユニットの数によって増加させることが可能である方法。
（２）  番組通信システムにより、異なる番組コンテンツを大きな数量で提供する方法であって、前記異なる番組コンテンツが、デジタル番組通信ストリームを介して複数人のユーザに送信されるものであって、
複数のデジタル番組コンポーネントを同期させる同期工程であって、それら複数のデジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントが、異なる番組コンテンツの一つのユニットであるものと、
前記複数のデジタル番組コンポーネントの少なくとも一つのサブセットを、少なくとも一つのコンポーネント番組セグメントを含むように定義する定義工程であって、その少なくとも一つのコンポーネント番組セグメントも、異なる番組コンテンツの一つのユニットであるものと、
前記少なくとも一つのサブセットのデジタル番組コンポーネントを前記デジタル番組通信ストリーム内に挿入する挿入工程と、
前記デジタル番組通信ストリームを前記複数人のユーザに送信する送信工程と
を含み、標準的なデジタル番組セグメントについて通常割り当てられる前記帯域幅を増加させることなく、前記デジタル番組通信ストリームによって送信される異なる番組コンテンツの数量を、前記少なくとも一つのコンポーネント番組セグメントに対応する異なる番組コンテンツのユニットの数によって増加させることが可能である方法。
（３）  番組通信システムにより、異なる番組コンテンツを大きな数量で受信する方法であって、前記異なる番組コンテンツが、デジタル番組通信ストリームを介して少なくとも一人のユーザによって受信されるものであって、
同期させられた複数のデジタル番組コンポーネントを前記デジタル番組通信ストリームによって受信する受信工程であって、それら複数のデジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントが、異なる番組コンテンツの一つのユニットであるものと、
前記複数のデジタル番組コンポーネントの少なくとも一つのサブセットを、提供のために、選択する選択工程であって、その少なくとも一つのサブセットが、少なくとも一つのコンポーネント番組セグメントを含み、その少なくとも一つのコンポーネント番組セグメントも、異なる番組コンテンツの一つのユニットであるものと
を含み、標準的なデジタル番組セグメントについて通常割り当てられる前記帯域幅を増加させることなく、前記デジタル番組通信ストリームによって受信される異なる番組コンテンツの数量を、前記少なくとも一つのコンポーネント番組セグメントに対応する異なる番組コンテンツのユニットの数によって増加させることが可能である方法。
（４）   異なる番組コンテンツを作成する方法であって、デジタル番組通信ストリームによって送信可能である異なる番組コンテンツの数量が増加させられるものであって、
複数のデジタル番組コンポーネントを作成する作成工程であって、それら複数のデイジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントが、異なる番組コンテンツの一つのユニットであるものと、
前記複数のデジタル番組コンポーネントを同期させる同期工程と、
前記複数のデジタル番組コンポーネントの少なくとも一つのサブセットを、少なくとも一つのコンポーネント番組セグメントを含むように定義する定義工程であって、その少なくとも一つのコンポーネント番組セグメントも、異なる番組コンテンツの一つのユニットであるものと
を含み、標準的なデジタル番組セグメントについて通常割り当てられる前記帯域幅を増加させることなく、前記デジタル番組通信ストリームにおいて送信に利用可能な異なる番組コンテンツの数量を、前記少なくとも一つのコンポーネント番組セグメントに対応する異なる番組コンテンツのユニットの数によって増加させることが可能である方法。
（５）  前記複数のデジタル番組コンポーネントを前記デジタル番組通信ストリーム内に挿入する挿入工程をさらに含む（１）項に記載の方法。
（６）  前記少なくとも一つのサブセットの複数のデジタル番組コンポーネントが、前記標準的なデジタル番組セグメントを前記デジタル番組通信ストリームにおいて置き換える（１）または（２）項に記載の方法。
（７）  前記標準的なデジタル番組セグメントに加えて、前記少なくとも一つのサブセットの複数のデジタル番組コンポーネントが、前記デジタル番組通信ストリーム内に挿入される（１）または（２）項に記載の方法。
（８）  前記複数のデジタル番組コンポーネントが、前記標準的なデジタル番組セグメントを前記デジタル番組通信ストリームにおいて置き換える（５）項に記載の方法。
（９）  前記標準的なデジタル番組セグメントに加えて、前記複数のデジタル番組コンポーネントが、前記デジタル番組通信ストリーム内に挿入される（５）項に記載の方法。
（１０）  前記標準的なデジタル番組セグメントが、その品質に関して低下させられ、それにより、標準的なデジタル番組セグメントについて通常割り当てられる前記帯域幅より狭い帯域幅を利用する（７）項に記載の方法。
（１１）  前記標準的なデジタル番組セグメントが、その品質に関して低下させられ、それにより、標準的なデジタル番組セグメントについて通常割り当てられる前記帯域幅より狭い帯域幅を利用する（９）項に記載の方法。
（１２）  前記複数のデジタル番組コンポーネントが、前記標準的なデジタル番組セグメントを前記デジタル番組通信ストリームにおいて置き換える（３）項に記載の方法。
（１３）  前記標準的なデジタル番組セグメントに加えて、前記複数のデジタル番組コンポーネントが、前記デジタル番組通信ストリームによって受信される（３）項に記載の方法。
（１４）  前記標準的なデジタル番組セグメントが、その品質に関して低下させられ、それにより、標準的なデジタル番組セグメントについて通常割り当てられる帯域幅より狭い帯域幅を利用する（１３）項に記載の方法。
（１５）  前記複数のデジタル番組コンポーネントが、ビデオ、静止フレーム・ビデオ、オーディオ、グラフィックス、テクスト、アニメーションおよびメディア・オブジェクトから成るグループから選択される（１），（２），（３）または（４）項に記載の方法。
（１６）  前記静止フレーム・ビデオが、スケーラブルなビデオ・フレームを含む（１５）項に記載の方法。
（１７）  前記オーディオが、ＣＤ品質より低音質のオーディオを含む（１５）項に記載の方法。
（１８）  前記複数のデジタル番組コンポーネントをデジタル的に圧縮する圧縮工程をさらに含む（１），（２）または（４）項に記載の方法。
（１９）  前記複数のデジタル番組コンポーネントをデジタル的に伸長する伸長工程をさらに含む（３）項に記載の方法。
（２０）  前記デジタル番組通信ストリームが、地上テレビ放送、ケーブル、衛星、マイクロ波、無線、電話、無線電話、デジタル加入者線、光ファイバ、パーソナル通信ネットワークおよび通信ネットワークから成るグループから選択される通信媒体を通じて搬送される（１）項に記載の方法。
（２１）  前記デジタル番組通信ストリームが、地上テレビ放送、ケーブル、衛星、マイクロ波、無線、電話、無線電話、デジタル加入者線、光ファイバ、パーソナル通信ネットワークおよび通信ネットワークから成るグループから選択される通信媒体を通じて送信される（２）項に記載の方法。
（２２）  前記デジタル番組通信ストリームが、地上テレビ放送、ケーブル、衛星、マイクロ波、無線、電話、無線電話、デジタル加入者線、光ファイバ、パーソナル通信ネットワークおよび通信ネットワークから成るグループから選択される通信媒体を介して受信される（３）項に記載の方法。
（２３）  前記通信ネットワークが、インターネット、イントラネット、ローカル・エリア・ネットワーク、ワイド・エリア・ネットワーク、公衆ネットワークおよびプライベート・ネットワークから成るグループから選択される（２０），（２１）または（２２）項に記載の方法。
（２４）  前記異なる番組コンテンツが、広告番組コンテンツを含む（１），（２），（３）または（４）項に記載の方法。
（２５）  前記異なる番組コンテンツが、ニュース、スポーツ、娯楽、連続テレビ・コメディ、音楽ビデオ、ゲーム・ショー、映画、ドラマ、教育番組、双方向ビデオ・ゲームおよび生番組から成るグループから選択される番組コンテンツを含む（１），（２），（３）または（４）項に記載の方法。
（２６）  前記複数のデジタル番組コンポーネントを同期させる同期工程をさらに含む請求項１に記載の方法。
（２７）  前記少なくとも一つのコンポーネント番組セグメントのターゲットを、前記デジタル番組通信ストリームを受信する複数のユーザのうちの少なくとも一人に向かって設定するターゲット設定工程をさらに含む（１）項に記載の方法。
（２８）  特定の異なる番組コンテンツを前記複数人のユーザのうちの少なくとも一人に提供するため、前記少なくとも一つのコンポーネント番組セグメントのターゲットを、前記少なくとも一人のユーザに向かって設定するターゲット設定工程をさらに含む（２）項に記載の方法。
（２９）  前記番組通信システムによってアクセス可能な前記少なくとも一人のユーザのユーザ・プロファイル情報に基づき、前記少なくとも一つのコンポーネント番組セグメントのターゲットが、前記少なくとも一人のユーザに向かって設定される（２８）項に記載の方法。
（３０）  特定の異なる番組コンテンツを前記少なくとも一人のユーザに提供するために、前記少なくとも一つのコンポーネント番組セグメントのターゲットが、前記少なくとも一人のユーザに向かって設定されているか否かを決定する決定工程をさらに含み、前記選択工程が、前記少なくとも一つのコンポーネント番組セグメントのターゲットが前記少なくとも一人のユーザに向かって設定されているという決定に基づくものである（３）項に記載の方法。
（３１）  前記少なくとも一人のユーザ・プロファイル情報に基づき、前記少なくとも一つのコンポーネント番組セグメントのターゲットが、前記少なくとも一人のユーザに向かって設定されているか否かを決定するために、前記少なくとも一人のユーザのユーザ・プロファイル情報にアクセスするアクセス工程をさらに含む（３０）項に記載の方法。
（３２）  前記少なくとも一つのコンポーネント番組セグメントを、前記少なくとも一人のユーザに提供するために、再生装置に出力する出力工程をさらに含む（３）項に記載の方法。
（３３）  前記少なくとも一つのコンポーネント番組セグメントのうちの第１のものから、前記少なくとも一つのコンポーネント番組セグメントのうちの第２のものにスイッチングするスイッチング工程をさらに含む（３）項に記載の方法。
（３４）  前記少なくとも一つのコンポーネント番組セグメントのうち前記第１および第２のものを、前記少なくとも一人のユーザに提供するために、再生装置に逐次出力する出力工程をさらに含み、前記スイッチング工程が、シームレスなものであり、それにより、前記スイッチングが、前記少なくとも一つのコンポーネント番組セグメントのうちの前記第１のものの再生と、前記少なくとも一つのコンポーネント番組セグメントのうち前記第２のものの再生との間において、前記少なくとも一人のユーザによって知覚され得る遅延なしに、実行される（３３）項に記載の方法。
（３５）  前記再生装置が、テレビ、ラジオ、ビデオ・テープ・プレーヤ、オーディオ・テープ・プレーヤ、デジタル・ビデオ・ディスク・プレーヤ、コンパクト・デジタル・ディスク・プレーヤ、ミニディスク・プレーヤ、デジタル・ファイル・プレーヤ、ビデオ・ゲーム・プレーヤ、コンピュータ、パーソナル・デジタル・アシスタント装置、電話、無線電話および難聴者のための電話装置から成るグループから選択される装置を含む（３２）または（３４）項に記載の方法。
（３６）  番組通信システムにより、異なる番組コンテンツを大きな数量で提供するシステムであって、前記異なる番組コンテンツが、デジタル番組通信ストリームを介して複数のユーザに送信されるものであって、
同期させられた複数のデジタル番組コンポーネントをインタリーブするエンコーダであって、前記複数のデジタル番組コンポーネントの少なくとも一つのサブセットが、少なくとも一つのコンポーネント番組セグメントを含み、その少なくとも一つのコンポーネント番組セグメントが、異なる番組コンテンツの一つのユニットであるものと、
前記複数のデジタル番組コンポーネントを前記デジタル番組通信ストリームにて前記複数のユーザに送信する送信器であって、前記複数のデジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントも、異なる番組コンテンツの一つのユニットであるものと
を含み、標準的なデジタル番組セグメントについて通常割り当てられる前記帯域幅を増加させることなく、前記デジタル番組通信ストリームによって前記送信器によって送信される異なる番組コンテンツの数量を、前記少なくとも一つのコンポーネント番組セグメントに対応する異なる番組コンテンツのユニットの数によって増加させることが可能であるシステム。
（３７）  番組通信システムにより、異なる番組コンテンツを大きな数量で受信するシステムであって、前記異なる番組コンテンツが、デジタル番組通信ストリームを介して少なくとも一人のユーザによって受信されるものであって、
同期させられた複数のデジタル番組コンポーネントを前記デジタル番組通信ストリームにて受信するチューナであって、前記複数のデジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントが、異なる番組コンテンツの一つのユニットであるものと、
前記複数のデジタル番組コンポーネントの少なくとも一つのサブセットを分離して選択するデコーダであって、前記少なくとも一つのサブセットが、少なくとも一つのコンポーネント番組セグメントを含み、その少なくとも一つのコンポーネント番組セグメントも、異なる番組コンテンツの一つのユニットであるものと、
前記少なくとも一つのコンポーネント番組セグメントを、それを前記少なくとも一人のユーザに提供するために再生装置に出力する番組出力部と、
それらチューナ、デコーダおよび番組出力部の各機能を調整して指令を与えるプロセッサと
を含み、標準的なデジタル番組セグメントについて通常割り当てられる前記帯域幅を増加させることなく、前記デジタル番組通信ストリームによって前記受信器によって受信される異なる番組コンテンツの数量を、前記少なくとも一つのコンポーネント番組セグメントに対応する異なる番組コンテンツのユニットの数によって増加させることが可能であるシステム。
（３８）  番組通信システムにより、異なる番組コンテンツを大きな数量で提供するシステムであって、前記異なる番組コンテンツが、デジタル番組通信ストリームを介して複数のユーザに送信されるものであって、
同期させられた複数のデジタル番組コンポーネントを組み合わせる組合せ手段であって、それら複数のデジタル番組コンポーネントの少なくとも一つのサブセットが、少なくとも一つのコンポーネント番組セグメントを含み、その少なくとも一つのコンポーネント番組セグメントが、異なる番組コンテンツの一つのユニットであるものと、
前記複数のデジタル番組コンポーネントを前記デジタル番組通信ストリームにて前記複数のユーザに送信する送信手段であって、標準的なデジタル番組セグメントについて通常割り当てられる帯域幅より狭いかまたは等しい前記デジタル番組通信ストリームの帯域幅を利用し、前記標準的なデジタル番組セグメントも、異なる番組コンテンツの一つのユニットであるものと
を含み、標準的なデジタル番組セグメントについて通常割り当てられる前記帯域幅を増加させることなく、前記デジタル番組通信ストリームによって前記送信手段によって送信される異なる番組コンテンツの数量を、前記少なくとも一つのコンポーネント番組セグメントに対応する異なる番組コンテンツのユニットの数によって増加させることが可能であるシステム。
（３９）  番組通信システムにより、異なる番組コンテンツを大きな数量で受信するシステムであって、前記異なる番組コンテンツが、デジタル番組通信ストリームを介して少なくとも一人のユーザによって受信されるものであって、
同期させられた複数のデジタル番組コンポーネントを前記デジタル番組通信ストリームにて受信する受信手段であって、前記複数のデジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントが、異なる番組コンテンツの一つのユニットであるものと、
前記複数のデジタル番組コンポーネントの少なくとも一つのサブセットを選択する選択手段であって、その少なくとも一つのサブセットが、少なくとも一つのコンポーネント番組セグメントを含み、その少なくとも一つのコンポーネント番組セグメントも、異なる番組コンテンツの一つのユニットであるものと、
前記少なくとも一つのコンポーネント番組セグメントを、それを前記少なくとも一人のユーザに提供する提供手段に出力する出力手段と、
それら受信手段、選択手段および出力手段の各機能を調整し指令を与える処理手段と
を含み、標準的なデジタル番組セグメントについて通常割り当てられる前記帯域幅を増加させることなく、前記デジタル番組通信ストリームによって前記受信手段によって受信される異なる番組コンテンツの数量を、前記少なくとも一つのコンポーネント番組セグメントに対応する異なる番組コンテンツのユニットの数によって増加させることが可能であるシステム。
（４０）  前記送信器が、前記標準的なデジタル番組セグメントの代わりに、前記複数のデジタル番組コンポーネントを、前記デジタル番組通信ストリームによって送信する（３６）項に記載のシステム。
（４１）  前記送信手段が、前記標準的なデジタル番組コンポーネントの代わりに、前記複数のデジタル番組コンポーネントを、前記デジタル番組通信ストリームによって送信する（３８）項に記載のシステム。
（４２）  前記送信器が、前記標準的なデジタル番組セグメントに加えて、前記複数のデジタル番組コンポーネントを、前記デジタル番組通信ストリームによって送信する（３６）項に記載のシステム。
（４３）  前記送信手段が、前記標準的なデジタル番組セグメントに加えて、前記複数のデジタル番組コンポーネントを、前記デジタル番組通信ストリームによって送信する（３８）項に記載のシステム。
（４４）  前記受信器が、前記標準的なデジタル番組セグメントの代わりに、前記複数のデジタル番組コンポーネントを、前記デジタル番組通信ストリームによって受信する（３７）項に記載のシステム。
（４５）  前記受信手段が、前記標準的なデジタル番組セグメントの代わりに、前記複数のデジタル番組コンポーネントを、前記デジタル番組通信ストリームによって受信する（３９）項に記載のシステム。
（４６）  前記受信器が、前記標準的なデジタル番組セグメントに加えて、前記複数のデジタル番組コンポーネントを、前記デジタル番組通信ストリームによって受信する（３７）項に記載のシステム。
（４７）  前記受信手段が、前記標準的なデジタル番組セグメントに加えて、前記複数のデジタル番組コンポーネントを、前記デジタル番組通信ストリームによって受信する（３９）項に記載のシステム。
（４８）  前記標準的なデジタル番組セグメントが、その品質に関して低下させられ、それにより、標準的なデジタル番組セグメントについて通常割り当てられる帯域幅より狭い帯域幅を利用する（４２），（４３），（４６）または（４７）項に記載のシステム。
（４９）  前記複数のデジタル番組コンポーネントが、ビデオ、静止フレーム・ビデオ、オーディオ、グラフィックス、テクスト、アニメーションおよびメディア・オブジェクトから成るグループから選択される（３６），（３７），（３８）または（３９）項に記載のシステム。
（５０）  前記静止フレーム・ビデオが、スケーラブルなビデオ・フレームを含む（４９）項に記載のシステム。
（５１）  前記オーディオが、ＣＤ品質より低音質のオーディオを含む（４９）項に記載のシステム。
（５２）  前記複数のデジタル番組コンポーネントを、それらコンポーネントが前記マルチプレクサに到達する前に圧縮するデジタル・コンプレッサをさらに含む（３６）項に記載のシステム。
（５３）  前記複数のデジタル番組コンポーネントを、それらコンポーネントが前記組合せ手段に到達する前にデジタル的に圧縮する圧縮手段をさらに含む（３８）項に記載のシステム。
（５４）  前記複数のデジタル番組コンポーネントを伸張するデジタル・デコンプレッサをさらに含み、前記プロセッサが、さらに、前記デコンプレッサの機能を調整して指令を与える制御する（３７）項に記載のシステム。
（５５）  前記複数のデジタル番組コンポーネントをデジタル的に伸張する伸張手段をさらに含み、前記処理手段が、さらに、前記伸張手段の機能を調整して指令を与える（３９）項に記載のシステム。
（５６）  前記複数のデジタル番組コンポーネントを、それらコンポーネントが前記マルチプレクサに到達する前に同期させる同期部をさらに含む（３６）項に記載のシステム。
（５７）  前記複数のデジタル番組コンポーネントを、それらコンポーネントが前記組合せ手段に到達する前に同期させる同期手段をさらに含む（３８）項に記載のシステム。
（５８）  前記多重化されたデジタル番組コンポーネントを、それらコンポーネントが前記送信器に到達する前に変調するモジュレータをさらに含む（３６）項に記載のシステム。
（５９）  前記組み合わされたデジタル番組コンポーネントを、それらコンポーネントが前記送信手段に到達する前に変調する変調手段をさらに含む（３８）項に記載のシステム。
（６０）  前記複数のデジタル番組コンポーネントを、それらコンポーネントが前記マルチプレサに到達する前に保存するメモリをさらに含む（３６）項に記載のシステム。
（６１）  前記複数のデジタル番組コンポーネントを、それらコンポーネントが前記組合せ手段に到達する前に保存する保存手段をさらに含む（３８）項に記載のシステム。
（６２）  前記複数のユーザのうちの前記少なくとも一人のユーザ・プロファイル情報を保存するメモリをさらに含み、前記プロセッサが、さらに、前記メモリの機能を調整して指令を与え、特定の異なる番組コンテンツを前記少なくとも一人のユーザに提供するために、前記少なくとも一人のユーザの前記ユーザ・プロファイル情報に基づき、前記少なくとも一つのコンポーネント番組セグメントのターゲットが、前記少なくとも一人のユーザに向かって設定される（３６）項に記載のシステム。
（６３）
特定の異なる番組コンテンツを前記少なくとも一人のユーザに提供するために、前記少なくとも一つのコンポーネント番組セグメントのターゲットが、前記少なくとも一人のユーザに向かって設定され、前記信号セレクタが、さらに、前記少なくとも一つのサブセットの複数のデジタル番組コンポーネントにおける情報に基づき、前記少なくとも一つのコンポーネント番組セグメントのターゲットが前記少なくとも一人のユーザに設定されるように、前記少なくとも一つのコンポーネント番組セグメントを選択する（３７）項に記載のシステム。
（６４）  前記少なくとも一人のユーザのユーザ・プロファイル情報を保存するメモリをさらに含み、前記信号セレクタが、さらに、前記少なくとも一人のユーザの前記ユーザ・プロファイル情報に基づき、前記少なくとも一人のユーザにターゲットが設定された前記少なくとも一つのコンポーネント番組セグメントを選択する（６３）項に記載のシステム。
（６５）  送信器が、地上テレビ放送、ケーブル、衛星、マイクロ波、無線、電話、無線電話、デジタル加入者線、光ファイバ、パーソナル通信ネットワークおよび通信ネットワークから成るグループから選択される通信媒体を通じて前記デジタル番組通信ストリームを送信する（３６）項に記載のシステム。
（６６）  前記受信器が、地上テレビ放送、ケーブル、衛星、マイクロ波、無線、電話、無線電話、デジタル加入者線、光ファイバ、パーソナル通信ネットワーク、および通信ネットワークから成るグループから選択される通信媒体を通じて前記デジタル番組通信ストリームを受信する（３７）項に記載のシステム。
（６７）  前記通信ネットワークが、インターネット、イントラネット、ローカル・エリア・ネットワーク、ワイド・エリア・ネットワーク、公衆ネットワークおよびプライベート・ネットワークから成るグループから選択される（６５）または（６６）項に記載のシステム。
（６８）  前記通信ネットワークから前記複数のデジタル番組コンポーネントを受信するために前記通信ネットワークとの接続を提供するネットワーク・コネクタをさらに含む（６６）項に記載のシステム。
（６９）  前記受信手段を通信ネットワークに接続する接続手段をさらに含み、前記複数のデジタル番組コンポーネントが、前記通信ネットワークを通じて受信される（３９）項に記載のシステム。
（７０）  前記異なる番組コンテンツが、広告番組コンテンツを含む（３６）または（３７）項に記載のシステム。
（７１）  前記異なる番組コンテンツが、ニュース、スポーツ、娯楽、連続テレビ・コメディ、音楽ビデオ、ゲーム・ショー、映画、ドラマ、教育番組、双方向ビデオ・ゲームおよび生番組から成るグループから選択される番組コンテンツを含む（３６）または（３７）項に記載のシステム。
（７２）  前記少なくとも一つのコンポーネント番組セグメントのうちの第１のものから前記少なくとも一つのコンポーネント番組セグメントのうちの第２のものにスイッチングする信号スイッチャをさらに含み、前記プロセッサが、前記信号スイッチャの機能を調整して指令を与える（３７）項に記載のシステム。
（７３）  前記信号スイッチャによるスイッチングが、シームレスなものであり、それにより、そのスイッチングが、前記少なくとも一つのコンポーネント番組セグメントのうちの前記第１のものの再生と前記少なくとも一つのコンポーネント番組セグメントのうちの前記第２のものの再生と間において、前記少なくとも一人のユーザによって知覚され得る遅延なしに、実行される（７２）項に記載のシステム。
（７４）  前記再生装置が、テレビ、ラジオ、ビデオ・テープ・プレーヤ、オーディオ・テープ・プレーヤ、デジタル・ビデオ・ディスク・プレーヤ、コンパクト・デジタル・ディスク・プレーヤ、ミニディスク・プレーヤ、デジタル・ファイル・プレーヤ、ビデオ・ゲーム・プレーヤ、コンピュータ、パーソナル・デジタル・アシスタント装置、電話、無線電話および難聴者のための電話装置から成るグループから選択される装置を含む（３７）項に記載のシステム。
（７５）  ユーザのためにターゲットが設定された異なる番組コンテンツを選択するために、コンピュータによって制御されるデジタル番組受信システムを双方向番組技術によって指令するコンピュータ・プログラム・プロダクトであって、前記ターゲットが設定された異なる番組コンテンツが、大きな数量で、前記受信システムにおいて、デジタル番組通信ストリームを介して受信され、当該コンピュータ・プログラム・プロダクトが、前記番組受信システムを制御するためにコンピュータ読取り可能プログラム・コードが埋め込まれたコンピュータ読取り可能媒体を含み、そのコンピュータ読取り可能プログラム・コードが、
前記番組受信システムに、同期させられた複数のデジタル番組コンポーネントであって前記デジタル番組通信ストリームによって受信されたものが、ターゲットが設定された異なる番組コンテンツを含んでいるか否かを決定することを指示する命令であって、
前記複数のデジタル番組コンポーネントが、標準的なデジタル番組セグメントについて通常割り当てられる帯域幅より狭いかまたは等しい前記デジタル番組通信ストリームの帯域幅を利用し、
前記標準的なデジタル番組セグメントが、異なる番組コンテンツの一つのユニットであるものと、
前記番組受信システムに、前記ユーザについてのユーザ・プロファイル内の情報にアクセスすることを指示する命令と、
前記番組受信システムに、前記複数のデジタル番組コンポーネントの少なくとも一つのサブセットを選択することを指示する命令であって、
その少なくとも一つのサブセットが、少なくとも一つのコンポーネント番組セグメントを含み、
その少なくとも一つのコンポーネント番組セグメントも、異なる番組コンテンツの一つのユニットであり、
標準的なデジタル番組セグメントについて通常割り当てられる前記帯域幅を増加させることなく、前記デジタル番組通信ストリームによって受信される異なる番組コンテンツの数量を、前記少なくとも一つのコンポーネント番組セグメントに対応する異なる番組コンテンツのユニットの数によって増加させることが可能であり、
ターゲットが設定された異なる番組コンテンツを前記ユーザに提供するために、前記少なくとも一つのサブセットの複数のコンポーネント番組セグメントの選択が、前記番組受信システムにより、前記ユーザの前記ユーザ・プロファイル情報に基づいて決定されるものと、
前記番組受信システムに、前記少なくとも一つのコンポーネント番組セグメントを、前記ユーザに向かい、再生装置上に再生するために、出力することを指示する命令と
を含むコンピュータ・プログラム・プロダクト。
（７６）  前記コンピュータ読取り可能プログラム・コードが、さらに、
前記番組受信システムに、前記ユーザへの再生が完了する前に、前記少なくとも一つのコンポーネント番組セグメントのうちの第１のものにおけるスプライス・ポイントを特定することを指示する命令と、
前記番組受信システムに、前記少なくとも一つのコンポーネント番組セグメントのうちの第２のものを選択することを指示する命令であって、その第２のものの選択が、前記番組受信システムにより、前記ユーザについての前記ユーザ・プロファイル情報に基づいて決定されるものと、
前記番組受信システムに、前記少なくとも一つのコンポーネント番組セグメントのうちの前記第１のものにおいて特定された前記スプライス・ポイントにおいて、その第１のものから、前記少なくとも一つのコンポーネント番組セグメントのうちの前記第２のものにシームレスにスイッチングを行うことを指示する命令と、
前記番組受信システムに、前記少なくとも一つのコンポーネント番組セグメントのうちの前記第２のものを、前記ユーザに向かって、前記再生装置上に再生するために出力することを指示する命令と
を含み、前記スイッチングが、前記少なくとも一つのコンポーネント番組セグメントのうちの前記第１のものの再生と、前記少なくとも一つのコンポーネント番組セグメントのうち前記第２のものの再生との間において、前記ユーザによって知覚され得る遅延なしに、実行される（７５）項に記載のコンピュータ・プログラム・プロダクト。
（７７）  番組通信システムにより、異なる広告セグメントを大きな数量で受信する方法であって、前記異なる広告セグメントが、デジタル番組通信ストリームを介して少なくとも一人のユーザによって受信されるものであって、
同期させられた複数のデジタル番組コンポーネントを前記デジタル番組通信ストリームにて受信する受信工程であって、前記複数のデジタル番組コンポーネントが、フルモーションのオーディオ・ビデオ・セグメントについて通常割り当てられる帯域幅より狭いかまたは等しい前記デジタル番組通信ストリームの帯域幅を利用し、前記フルモーションのオーディオ・ビデオ・セグメントフルモーションのオーディオ・ビデオ・セグメントが、異なる番組コンテンツの一つのユニットであるものと、
前記複数のデジタル番組コンポーネントの少なくとも一つのサブセットを、提供のために、選択する選択工程であって、その選択が、プロセッサが少なくとも一つのコマンド・コードを実行することによって行われ、その選択が、前記少なくとも一つのサブセットを含む複数のパケットのパケット識別番号に基づいて行われ、前記少なくとも一つのサブセットが、少なくとも一つの広告セグメントを含み、その少なくとも一つの広告セグメントも、異なる番組コンテンツの一つのユニットであるものと
を含み、フルモーションのオーディオ・ビデオ・セグメントについて通常割り当てられる帯域幅を増加させることなく、前記デジタル番組通信ストリームによって受信される異なる番組コンテンツの数量を、前記少なくとも一つの広告セグメントに対応する異なる番組コンテンツのユニットの数によって増加させることが可能である方法。
（７８）  前記複数のデジタル番組コンポーネントが、ビデオ、静止フレーム・ビデオ、オーディオ、グラフィックス、テクスト、アニメーションおよびメディア・オブジェクトから成るグループから選択される（７７）項に記載の方法。
（７９）  前記受信工程が、前記少なくとも一つのコマンド・コードを前記デジタル番組通信ストリームにて受信する受信工程をさらに含む（７７）項に記載の方法。
（８０）  前記少なくとも一つのコマンド・コードを前記ユーザからユーザ・インターフェイスを介して受信する受信工程をさらに含む（７７）項に記載の方法。
（８１）  異なる番組コンテンツをシステム帯域幅を有する番組通信システムによって提供する方法であって、
番組コンテンツを前記番組通信システムを通じて送信する送信工程であって、前記番組コンテンツが、前記システム帯域幅の第１部分を利用するものと、
前記システム帯域幅の第２部分を利用することにより、複数の番組コンポーネントを前記番組通信システムを通じて送信する送信工程であって、それら番組コンポーネントが、組み合わされて一つ以上の番組セグメントになり得るものと
を含み、前記番組コンテンツを、前記第１および第２の帯域幅部分が前記システム帯域幅より大きくならないように調整する方法。
（８２）  前記番組コンポーネントの各々が、前記帯域幅のうちの個別部分を利用し、各個別部分が、前記システム帯域幅の前記第１部分より小さい（８１）項に記載の方法。
（８３）  前記システム帯域幅の前記第２部分が、前記システム帯域幅の前記第１部分より狭いかまたは等しい（８２）項に記載の方法。
（８４）  前記番組コンテンツが、前記複数の番組コンポーネントを前記番組コンテンツに置き換えることによって調整される（８１），（８２）または（８３）項に記載の方法。
（８５）  前記番組コンテンツが、前記第１および第２の帯域幅部分が前記システム帯域幅より大きくならないように前記番組コンテンツを減少させることによって調整される（８１），（８２）または（８３）項に記載の方法。
（８６）  前記番組コンポーネントが、フルモーション・ビデオ、静止フレーム・ビデオ、オーディオ、グラフィックス、テクスト、アニメーションおよびメディア・オブジェクトから成るグループから選択される（８４）項に記載の方法。
（８７）  前記システム帯域幅の前記第１部分が、ＣＤ品質の音を伴うフルモーション・ビデオより成る標準的なデジタル番組セグメントによって利用される帯域幅と等しい（８４）項に記載の方法。
（８８）  前記番組通信システムが、デジタル・ケーブル・システムである（８４）項に記載の方法。
（８９）  ビデオとオーディオとのペアを異なる番組コンテンツであってその数量が大きいものにトレードオフする方法であって、
ビデオとオーディオとの第１ペアを送信するために送信システムによって利用される帯域幅を決定する決定工程と、
前記第１ペアのビデオとオーディオの送信を停止させる停止工程と、
前記トランスポート・ストリーム内の複数の番組コンポーネントを前記第１ペアのビデオとオーディオに置き換える置換工程であって、前記複数の番組コンポーネントが、組み合わされると複数の異なる番組コンテンツになり得るものであるとともに、それぞれの帯域幅部分を利用するものと
を含み、前記帯域幅部分の合計が前記帯域幅を超えない方法。
（９０）  前記帯域幅が、ビデオとオーディオとの第２ペアの帯域幅利用レートに従って変化する（８９）項に記載の方法。
（９１）  前記複数の番組コンポーネントが、フルモーション・ビデオ、静止フレーム・ビデオ、オーディオ、グラフィックス、テクスト、アニメーションおよびメディア・オブジェクトから成るグループから選択される（８９）項に記載の方法。
（９２）  前記オーディオが、ＣＤより低音質のオーディオを含む（９１）項に記載の方法。
（９３）  前記静止フレーム・ビデオが、Ｉフレームを含む（９１）項に記載の方法。
（９４）  前記フルモーション・ビデオが、デジタル的に圧縮されたビデオを含む（９１）項に記載の方法。
（９５）  前記フルモーション・ビデオが、低解像度ビデオを含む（９１）項に記載の方法。
（９６）  前記フルモーション・ビデオが、低フレーム・レート・ビデオを含む（９１）項に記載の方法。
（９７）  前記フルモーション・ビデオが、低品質ビデオを含む（９１）項に記載の方法。
（９８）  異なる番組コンテンツをシステム帯域幅を有する番組通信システムによって受信する方法であって、
第１番組コンテンツを前記番組通信システムを通じて受信する受信工程であって、その番組コンテンツが、前記システム帯域幅の第１部分を利用するものと、
前記システム帯域幅の第２部分を利用することにより、複数の番組コンポーネントを前記番組通信システムを通じて受信する受信工程であって、前記複数の番組コンポーネントが、組み合わされると一つ以上の番組セグメントになり得るものと
を含み、前記番組コンテンツを、前記第１および第２の帯域幅部分が前記システム帯域幅より大きくならないように調整する方法。
（９９）  前記番組コンポーネントの各々が、前記帯域幅のうちの個別部分を利用し、各個別部分が、前記第１の帯域幅部分より小さい（９８）項に記載の方法。
（１００）  前記帯域幅の各個別部分の合計が、前記第１の帯域幅部分より狭いかまたは等しい（９９）項に記載の方法。
（１０１）  前記複数の異なる番組セグメントが、前記番組コンテンツに前記デジタル番組トランスポート・ストリームにおいて置き換えられる（９８），（９９）または（１００）項に記載の方法。
（１０２）  前記番組コンポーネントが、フルモーション・ビデオ、静止フレーム・ビデオ、オーディオ、グラフィックス、テクスト、アニメーションおよびメディア・オブジェクトから成るグループから選択される（１０１）項に記載の方法。
（１０３）
前記第１の帯域幅部分が、ＣＤ品質の音を伴うフルモーション・ビデオより成る標準的なデジタル番組セグメントによって利用される帯域幅と等しい（１０１）項に記載の方法。
（１０４）  前記番組通信システムが、デジタル・ケーブル・システムである（１０１）項に記載の方法。
（１０５）  異なる番組コンテンツをストリーム帯域幅を有する番組トランスポート・ストリームによって提供する方法であって、
前記トランスポート・ストリーム内における利用可能帯域幅を特定する特定工程であって、その利用可能帯域幅が、前記ストリーム帯域幅より狭いかまたは等しいものと、
複数の番組コンポーネントを前記利用可能帯域幅のうちの少なくともいくつか内に配置する配置工程と
を含み、前記複数の番組コンポーネントが、組み合わされると、前記異なる番組コンテンツの複数のユニットにそれぞれ対応する複数の番組セグメントとなり得る方法。
（１０６）  前記特定工程が、前記トランスポート・ストリームにおいて利用される帯域幅が全体帯域幅より狭い期間を前記利用可能帯域幅として特定する工程を含む（１０５）項に記載の方法。
（１０７）  前記特定工程が、
通常番組の期間を前記トランスポート・ストリームから除去する工程と、
その除去された期間を前記利用可能帯域幅として特定する工程と
を含む（１０５）項に記載の方法。
（１０８）  前記特定工程が、
前記トランスポート・ストリーム内においてデータ・ストリームによって利用される帯域幅が全体帯域幅より狭い期間を前記利用可能帯域幅の第１部分として特定する工程と
通常番組の期間を前記トランスポート・ストリームから除去する工程と、
その除去された期間を前記利用可能帯域幅の第２部分として特定する工程と
を含む（１０５）項に記載の方法。
（１０９）  異なる番組コンテンツを番組トランスポート・ストリームによって送信することを可能にする方法であって、
ターゲットが設定された視聴者プロファイルに従って前記異なる番組コンテンツを想定する想定工程と、
前記トランスポート・ストリームにおける利用可能帯域幅を決定する利用可能帯域幅決定工程と、
前記異なる番組コンテンツを具現化するとともに前記利用可能帯域幅内に収めるために、複数の番組コンポーネントを作成する作成工程と、
前記トランスポート・ストリームにおいて利用するために前記番組コンポーネントを提供する提供工程と
を含む方法。
（１１０）  前記利用可能帯域幅決定工程が、前記トランスポート・ストリームにおける未使用帯域幅を特定する工程を含む（１０９）項に記載の方法。
（１１１）  前記利用可能帯域幅決定工程が、前記トランスポート・ストリームのために削除されることが予定された番組コンテンツを特定する工程を含む（１０９）項に記載の方法。
（１１２）  前記利用可能帯域幅決定工程が、前記トランスポート・ストリームのために低品質レベルで送信されることが予定された番組コンテンツを特定する工程を含む（１０９）項に記載の方法。
（１１３）  前記利用可能帯域幅決定工程が、
前記トランスポート・ストリームにおいて未使用帯域幅を特定する工程と、
前記トランスポート・ストリームのために削除されることが予定された番組コンテンツを特定する工程と、
前記トランスポート・ストリームのために低品質レベルで送信されることが予定された番組コンテンツを特定する工程と
を含む（１０９）項に記載の方法。
（１１４）  ある番組コンテンツをあるユーザに提供する方法であって、
複数の番組コンテンンツとターゲット設定視聴者プロファイル・データとを含むトランスポート・ストリームを受信する受信工程であって、前記複数の番組コンテンツが、組み合わされると、前記複数人のターゲット設定視聴者についての異なる番組コンテンツの複数のユニットにそれぞれ対応する複数の番組セグメントとなり得るものと、
あるユーザ・プロファイルを取得する取得工程と、
そのユーザ・プロファイルに最も適合するあるターゲット設定視聴者を特定する特定工程と、
その特定されたあるターゲット設定視聴者に従い、異なる番組コンテンツの前記複数のユニットのいずれか一つを提供するために、前記複数の番組コンポーネントのうちのあるサブセットを選択する選択工程と、
前記提供されるいずれか一つのユニットの異なる番組コンテンツを前記ユーザに提供する提供工程と
を含む方法。
本発明によれば、さらに、下記の様態が提供される。
（１）デジタル番組通信ストリームにおいて利用可能な異なる番組コンテンツの数量を増加させる方法であって、
複数のデジタル番組コンポーネントを作成する作成工程であって、それら複数のデジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントが、異なる番組コンテンツの一つのユニットであるものと、
前記複数のデジタル番組コンポーネントの少なくとも一つのサブセットを、少なくとも一つのコンポーネント番組セグメントを含むように定義する定義工程であって、その少なくとも一つのコンポーネント番組セグメントも、異なる番組コンテンツの一つのユニットであるものと、
前記少なくとも一つのサブセットの複数のデジタル番組コンポーネントを少なくとも、前記デジタル番組通信ストリーム内に挿入する挿入工程と
を含み、標準的なデジタル番組セグメントについて通常割り当てられる前記帯域幅を増加させることなく、前記デジタル番組通信ストリームにおいて利用可能な異なる番組コンテンツの数量を、前記少なくとも一つのコンポーネント番組セグメントに対応する異なる番組コンテンツのユニットの数によって増加させることが可能である方法。
（２）番組通信システムにより、異なる番組コンテンツを大きな数量で提供する方法であって、前記異なる番組コンテンツが、デジタル番組通信ストリームを介して複数人のユーザに送信されるものであって、
複数のデジタル番組コンポーネントを同期させる同期工程であって、それら複数のデジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントが、異なる番組コンテンツの一つのユニットであるものと、
前記複数のデジタル番組コンポーネントの少なくとも一つのサブセットを、少なくとも一つのコンポーネント番組セグメントを含むように定義する定義工程であって、その少なくとも一つのコンポーネント番組セグメントも、異なる番組コンテンツの一つのユニットであるものと、
前記少なくとも一つのサブセットのデジタル番組コンポーネントを前記デジタル番組通信ストリーム内に挿入する挿入工程と、
前記デジタル番組通信ストリームを前記複数人のユーザに送信する送信工程と
を含み、標準的なデジタル番組セグメントについて通常割り当てられる前記帯域幅を増加させることなく、前記デジタル番組通信ストリームによって送信される異なる番組コンテンツの数量を、前記少なくとも一つのコンポーネント番組セグメントに対応する異なる番組コンテンツのユニットの数によって増加させることが可能である方法。
（３）番組通信システムにより、異なる番組コンテンツを大きな数量で受信する方法であって、前記異なる番組コンテンツが、デジタル番組通信ストリームを介して少なくとも一人のユーザによって受信されるものであって、
同期させられた複数のデジタル番組コンポーネントを前記デジタル番組通信ストリームによって受信する受信工程であって、それら複数のデジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントが、異なる番組コンテンツの一つのユニットであるものと、
前記複数のデジタル番組コンポーネントの少なくとも一つのサブセットを、提供のために、選択する選択工程であって、その少なくとも一つのサブセットが、少なくとも一つのコンポーネント番組セグメントを含み、その少なくとも一つのコンポーネント番組セグメントも、異なる番組コンテンツの一つのユニットであるものと
を含み、標準的なデジタル番組セグメントについて通常割り当てられる前記帯域幅を増加させることなく、前記デジタル番組通信ストリームによって受信される異なる番組コンテンツの数量を、前記少なくとも一つのコンポーネント番組セグメントに対応する異なる番組コンテンツのユニットの数によって増加させることが可能である方法。
（４）異なる番組コンテンツを作成する方法であって、デジタル番組通信ストリームによって送信可能である異なる番組コンテンツの数量が増加させられるものであって、
複数のデジタル番組コンポーネントを作成する作成工程であって、それら複数のデイジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントが、異なる番組コンテンツの一つのユニットであるものと、
前記複数のデジタル番組コンポーネントを同期させる同期工程と、
前記複数のデジタル番組コンポーネントの少なくとも一つのサブセットを、少なくとも一つのコンポーネント番組セグメントを含むように定義する定義工程であって、その少なくとも一つのコンポーネント番組セグメントも、異なる番組コンテンツの一つのユニットであるものと
を含み、標準的なデジタル番組セグメントについて通常割り当てられる前記帯域幅を増加させることなく、前記デジタル番組通信ストリームにおいて送信に利用可能な異なる番組コンテンツの数量を、前記少なくとも一つのコンポーネント番組セグメントに対応する異なる番組コンテンツのユニットの数によって増加させることが可能である方法。
（５）番組通信システムにより、異なる番組コンテンツを大きな数量で提供するシステムであって、前記異なる番組コンテンツが、デジタル番組通信ストリームを介して複数のユーザに送信されるものであって、
同期させられた複数のデジタル番組コンポーネントをインタリーブするエンコーダであって、前記複数のデジタル番組コンポーネントの少なくとも一つのサブセットが、少なくとも一つのコンポーネント番組セグメントを含み、その少なくとも一つのコンポーネント番組セグメントが、異なる番組コンテンツの一つのユニットであるものと、
前記複数のデジタル番組コンポーネントを前記デジタル番組通信ストリームにて前記複数のユーザに送信する送信器であって、前記複数のデジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントも、異なる番組コンテンツの一つのユニットであるものと
を含み、標準的なデジタル番組セグメントについて通常割り当てられる前記帯域幅を増加させることなく、前記デジタル番組通信ストリームによって前記送信器によって送信される異なる番組コンテンツの数量を、前記少なくとも一つのコンポーネント番組セグメントに対応する異なる番組コンテンツのユニットの数によって増加させることが可能であるシステム。
（６）番組通信システムにより、異なる番組コンテンツを大きな数量で受信するシステムであって、前記異なる番組コンテンツが、デジタル番組通信ストリームを介して少なくとも一人のユーザによって受信されるものであって、
同期させられた複数のデジタル番組コンポーネントを前記デジタル番組通信ストリームにて受信するチューナであって、前記複数のデジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントが、異なる番組コンテンツの一つのユニットであるものと、
前記複数のデジタル番組コンポーネントの少なくとも一つのサブセットを分離して選択するデコーダであって、前記少なくとも一つのサブセットが、少なくとも一つのコンポーネント番組セグメントを含み、その少なくとも一つのコンポーネント番組セグメントも、異なる番組コンテンツの一つのユニットであるものと、
前記少なくとも一つのコンポーネント番組セグメントを、それを前記少なくとも一人のユーザに提供するために再生装置に出力する番組出力部と、
それらチューナ、デコーダおよび番組出力部の各機能を調整して指令を与えるプロセッサと
を含み、標準的なデジタル番組セグメントについて通常割り当てられる前記帯域幅を増加させることなく、前記デジタル番組通信ストリームによって前記受信器によって受信される異なる番組コンテンツの数量を、前記少なくとも一つのコンポーネント番組セグメントに対応する異なる番組コンテンツのユニットの数によって増加させることが可能であるシステム。
（７）番組通信システムにより、異なる番組コンテンツを大きな数量で提供するシステムであって、前記異なる番組コンテンツが、デジタル番組通信ストリームを介して複数のユーザに送信されるものであって、
同期させられた複数のデジタル番組コンポーネントを組み合わせる組合せ手段であって、それら複数のデジタル番組コンポーネントの少なくとも一つのサブセットが、少なくとも一つのコンポーネント番組セグメントを含み、その少なくとも一つのコンポーネント番組セグメントが、異なる番組コンテンツの一つのユニットであるものと、
前記複数のデジタル番組コンポーネントを前記デジタル番組通信ストリームにて前記複数のユーザに送信する送信手段であって、標準的なデジタル番組セグメントについて通常割り当てられる帯域幅より狭いかまたは等しい前記デジタル番組通信ストリームの帯域幅を利用し、前記標準的なデジタル番組セグメントも、異なる番組コンテンツの一つのユニットであるものと
を含み、標準的なデジタル番組セグメントについて通常割り当てられる前記帯域幅を増加させることなく、前記デジタル番組通信ストリームによって前記送信手段によって送信される異なる番組コンテンツの数量を、前記少なくとも一つのコンポーネント番組セグメントに対応する異なる番組コンテンツのユニットの数によって増加させることが可能であるシステム。
（８）番組通信システムにより、異なる番組コンテンツを大きな数量で受信するシステムであって、前記異なる番組コンテンツが、デジタル番組通信ストリームを介して少なくとも一人のユーザによって受信されるものであって、
同期させられた複数のデジタル番組コンポーネントを前記デジタル番組通信ストリームによって受信する受信手段であって、前記複数のデジタル番組コンポーネントが、標準的なデジタル番組セグメントについて通常割り当てられる帯域幅より狭いかまたは等しい前記デジタル番組通信ストリームの帯域幅を利用し、前記標準的なデジタル番組セグメントが、異なる番組コンテンツの一つのユニットであるものと、
前記複数のデジタル番組コンポーネントの少なくとも一つのサブセットを選択する選択手段であって、その少なくとも一つのサブセットが、少なくとも一つのコンポーネント番組セグメントを含み、その少なくとも一つのコンポーネント番組セグメントも、異なる番組コンテンツの一つのユニットであるものと、
前記少なくとも一つのコンポーネント番組セグメントを、それを前記少なくとも一人のユーザに提供する提供手段に出力する出力手段と、
それら受信手段、選択手段および出力手段の各機能を調整して指令を与える処理手段と
を含み、標準的なデジタル番組セグメントについて通常割り当てられる前記帯域幅を増加させることなく、前記デジタル番組通信ストリームによって前記受信手段によって受信される異なる番組コンテンツの数量を、前記少なくとも一つのコンポーネント番組セグメントに対応する異なる番組コンテンツのユニットの数によって増加させることが可能であるシステム。
（９）番組通信システムにより、異なる広告セグメントを大きな数量で受信する方法であって、前記異なる広告セグメントが、デジタル番組通信ストリームを介して少なくとも一人のユーザによって受信されるものであって、
同期させられた複数のデジタル番組コンポーネントを前記デジタル番組通信ストリームによって受信する受信工程であって、前記複数のデジタル番組コンポーネントが、フルモーションのオーディオ・ビデオ・セグメントについて通常割り当てられる帯域幅より狭いかまたは等しい前記デジタル番組通信ストリームの帯域幅を利用し、前記フルモーションのオーディオ・ビデオ・セグメントフルモーションのオーディオ・ビデオ・セグメントが、異なる番組コンテンツの一つのユニットであるものと、
前記複数のデジタル番組コンポーネントの少なくとも一つのサブセットを、提供のために、選択する選択工程であって、その選択が、プロセッサが少なくとも一つのコマンド・コードを実行することによって行われ、その選択が、前記少なくとも一つのサブセットを含む複数のパケットのパケット識別番号に基づいて行われ、前記少なくとも一つのサブセットが、少なくとも一つの広告セグメントを含み、その少なくとも一つの広告セグメントも、異なる番組コンテンツの一つのユニットであるものと
を含み、フルモーションのオーディオ・ビデオ・セグメントについて通常割り当てられる帯域幅を増加させることなく、前記デジタル番組通信ストリームによって受信される異なる番組コンテンツの数量を、前記少なくとも一つの広告セグメントに対応する異なる番組コンテンツのユニットの数によって増加させることが可能である方法。
（１０）前記複数のデジタル番組コンポーネントを前記デジタル番組通信ストリーム内に挿入する挿入工程をさらに含む（１）項に記載の方法。
（１１）前記複数のデジタル番組コンポーネントが、前記標準的なデジタル番組セグメントを前記デジタル番組通信ストリームにおいて置き換える（２），（３），（４）または（１０）項に記載の方法。
（１２）前記標準的なデジタル番組セグメントに加えて、前記複数のデジタル番組コンポーネントが、前記デジタル番組通信ストリーム内に挿入される（２），（３），（４）または（１０）項に記載の方法。
（１３）前記複数のデジタル番組コンポーネントが、前記標準的なデジタル番組セグメントを前記デジタル番組通信ストリームにおいて置き換える（３）項に記載の方法。
（１４）前記複数のデジタル番組コンポーネントをデジタル的に圧縮する圧縮工程をさらに含む（１），（２）または（４）項に記載の方法。
（１５）前記デジタル番組通信ストリームが、地上テレビ放送、ケーブル、衛星、マイクロ波、無線、電話、無線電話、デジタル加入者線、光ファイバ、パーソナル通信ネットワークおよび通信ネットワークから成るグループから選択される通信媒体を介して受信、搬送または送信される（１），（２）または（３）項に記載の方法。
（１６）特定の異なる番組コンテンツを前記複数人のユーザのうちの少なくとも一人に提供するため、前記少なくとも一つのコンポーネント番組セグメントのターゲットを、前記少なくとも一人のユーザに向かって設定するターゲット設定工程をさらに含む（２）項に記載の方法。
（１７）前記標準的なデジタル番組セグメントに加えて、前記複数のデジタル番組コンポーネントが、前記デジタル番組通信ストリームによって受信される（３）項に記載の方法。
（１８）前記標準的なデジタル番組セグメントが、その品質に関して低下させられ、それにより、標準的なデジタル番組セグメントについて通常割り当てられる前記帯域幅より狭い帯域幅を利用する（１），（２），（３），（４）または（１７）項に記載の方法。
（１９）前記複数のデジタル番組コンポーネントが、ビデオ、静止フレーム・ビデオ、オーディオ、グラフィックス、テクスト、アニメーションおよびメディア・オブジェクトから成るグループから選択される（１），（２），（３），（４）または（９）項に記載の方法。
（２０）前記静止フレーム・ビデオが、スケーラブルなビデオ・フレームを含む（１９）項に記載の方法。
（２１）前記オーディオが、ＣＤより低音質のオーディオを含む（１９）項に記載の方法。
（２２）前記複数のデジタル番組コンポーネントを、それらコンポーネントが前記マルチプレクサに到達する前に圧縮するデジタル・コンプレッサをさらに含む（５）または（７）項に記載のシステム。
（２３）前記複数のデジタル番組コンポーネントを伸張するデジタル・デコンプレッサをさらに含み、前記プロセッサが、さらに、前記デコンプレッサの機能を調整して制御する（６）または（８）項に記載のシステム。
（２４）前記複数のデジタル番組コンポーネントを、それらコンポーネントが前記マルチプレクサに到達する前に同期させる同期部をさらに含む（５）または（７）項に記載のシステム。
（２５）前記多重化されたデジタル番組コンポーネントを、それらコンポーネントが前記送信器に到達する前に変調するモジュレータをさらに含む（５）または（７）項に記載のシステム。
（２６）前記デジタル番組送信ストリームが、地上テレビ放送、ケーブル、衛星、マイクロ波、無線、電話、無線電話、デジタル加入者線、光ファイバ、パーソナル通信ネットワークおよび通信ネットワークから成るグループから選択される通信媒体を通じて送信または受信される（５）または（７）項に記載のシステム。
（２７）前記通信ネットワークが、インターネット、イントラネット、ローカル・エリア・ネットワーク、ワイド・エリア・ネットワーク、公衆ネットワークおよびプライベート・ネットワークから成るグループから選択される（１５）項に記載の方法。
（２８）前記異なる番組コンテンツが、広告番組コンテンツを含む（１），（２），（３）または（４）項に記載の方法。
（２９）前記異なる番組コンテンツが、ニュース、スポーツ、娯楽、連続テレビ・コメディ、音楽ビデオ、ゲーム・ショー、映画、ドラマ、教育番組、双方向ビデオ・ゲームおよび生番組から成るグループから選択される番組コンテンツを含む（１），（２），（３）または（４）項に記載の方法。
（３０）前記少なくとも一つのコンポーネント番組セグメントのうちの第１のものから前記少なくとも一つのコンポーネント番組セグメントのうちの第２のものにスイッチングする信号スイッチャをさらに含み、前記信号スイッチャによるスイッチングが、シームレスなものであり、それにより、そのスイッチングが、前記少なくとも一つのコンポーネント番組セグメントのうちの前記第１のものの再生と前記少なくとも一つのコンポーネント番組セグメントのうちの前記第２のものの再生と間において、前記少なくとも一人のユーザによって知覚され得る遅延なしに、実行される（６）項に記載のシステム。
（３１）異なる番組コンテンツをシステム帯域幅を有する番組通信システムによって提供する方法であって、
番組コンテンツを前記番組通信システムを通じて送信する送信工程であって、前記番組コンテンツが、前記システム帯域幅の第１部分を利用するものと、
前記システム帯域幅の第２部分を利用することにより、複数の番組コンポーネントを前記番組通信システムを通じて送信する送信工程であって、それら番組コンポーネントが、組み合わされると一つ以上の番組セグメントになり得るものと
を含み、前記番組コンテンツを、前記第１および第２の帯域幅部分が前記システム帯域幅より大きくならないように調整する方法。
（３２）異なる番組コンテンツをシステム帯域幅を有する番組通信システムによって受信する方法であって、
第１番組コンテンツを前記番組通信システムを通じて受信する受信工程であって、その番組コンテンツが、前記システム帯域幅の第１部分を利用するものと、
前記システム帯域幅の第２部分を利用することにより、複数の番組コンポーネントを前記番組通信システムを通じて受信する受信工程であって、前記複数の番組コンポーネントが、組み合わされると一つ以上の番組セグメントになり得るものと
を含み、前記番組コンテンツを、前記第１および第２の帯域幅部分が前記システム帯域幅より大きくならないように調整する方法。
（３３）異なる番組コンテンツを最大帯域幅を有する番組トランスポート・ストリームによって提供する方法であって、
前記トランスポート・ストリーム内における利用可能帯域幅を特定する特定工程であって、その利用可能帯域幅が、前記最大帯域幅より狭いかまたは等しいものと、
複数の番組コンポーネントを前記利用可能帯域幅のうちの少なくともいくつか内に配置する配置工程と
を含み、前記複数の番組コンポーネントが、組み合わされると、前記異なる番組コンテンツの複数のユニットにそれぞれ対応する複数の番組セグメントとなり得る方法。
（３４）異なる番組コンテンツを番組トランスポート・ストリームによって送信することを可能にする方法であって、
ターゲットが設定された視聴者プロファイルに従って前記異なる番組コンテンツを想定する想定工程と、
前記トランスポート・ストリームにおける利用可能帯域幅を特定する利用可能帯域幅特定工程と、
前記異なる番組コンテンツを具現化するとともに前記利用可能帯域幅内に収めるために、複数の番組コンポーネントを作成する作成工程と、
前記トランスポート・ストリームにおいて利用するために前記複数の番組コンポーネントを提供する提供工程と
を含む方法。
（３５）前記番組コンポーネントの各々が、前記帯域幅のうちの個別部分を利用し、各個別部分が、前記第１の帯域幅部分より狭い（３１）または（３２）項に記載の方法。
（３６）前記帯域幅の各個別部分の合計が、前記第１の帯域幅部分より狭いかまたは等しい（３５）項に記載の方法。
（３７）前記複数の異なる番組セグメントが、前記番組コンテンツに置き換えられる（３１），（３２），（３５）または（３６）項に記載の方法。
（３８）前記特定工程が、前記トランスポート・ストリームにおいて利用される帯域幅が全体帯域幅より狭い期間を前記利用可能帯域幅として特定する工程を含む（３４）または（３７）項に記載の方法。
（３９）前記特定工程が、
通常番組の期間を前記トランスポート・ストリームから除去する工程と、
その除去された期間を前記利用可能帯域幅として特定する工程と
を含む（３３）または（３４）項に記載の方法。
（４０）前記利用可能帯域幅特定工程が、前記トランスポート・ストリームのために低品質レベルで送信されることが予定された番組コンテンツを特定する工程を含む（３３）または（３４）項に記載の方法。
（４１）前記複数のデジタル番組コンポーネントが、前記標準的なデジタル番組セグメントを前記デジタル番組通信ストリームにおいて置き換える（５），（６），（７）または（８）項に記載のシステム。
（４２）前記標準的なデジタル番組セグメントに加えて、前記複数のデジタル番組コンポーネントが、前記デジタル番組通信ストリーム内に挿入される（５），（６），（７）または（８）項に記載のシステム。
（４３）前記複数のデジタル番組コンポーネントが、前記標準的なデジタル番組セグメントを前記デジタル番組通信ストリームにおいて置き換える（５），（６），（７）または（８）項に記載のシステム。
（４４）前記標準的なデジタル番組セグメントに加えて、前記複数のデジタル番組コンポーネントが、前記デジタル番組通信ストリームによって受信される（６）または（８）項に記載のシステム。
（４５）前記標準的なデジタル番組セグメントが、その品質に関して低下させられ、それにより、標準的なデジタル番組セグメントについて通常割り当てられる前記帯域幅より狭い帯域幅を利用する（５），（６），（７）または（４４）項に記載のシステム。
（４６）前記複数のデジタル番組コンポーネントが、ビデオ、静止フレーム・ビデオ、オーディオ、グラフィックス、テクスト、アニメーションおよびメディア・オブジェクトから成るグループから選択される（５），（６），（７）または（８）項に記載のシステム。
（４７）前記通信ネットワークが、インターネット、イントラネット、ローカル・エリア・ネットワーク、ワイド・エリア・ネットワーク、公衆ネットワークおよびプライベート・ネットワークから成るグループから選択される（５）または（２６）項に記載のシステム。
（４８）前記異なる番組コンテンツが、広告番組コンテンツを含む（５）または（６）項に記載のシステム。
（４９）前記異なる番組コンテンツが、ニュース、スポーツ、娯楽、連続テレビ・コメディ、音楽ビデオ、ゲーム・ショー、映画、ドラマ、教育番組、双方向ビデオ・ゲームおよび生番組から成るグループから選択される番組コンテンツを含む（５）または（６）項に記載のシステム。
（５０）ビデオとオーディオとのペアを異なる番組コンテンツであってその数量が大きいものにトレードオフする方法であって、
ビデオとオーディオとの第１ペアを送信するために送信システムによって利用される帯域幅を決定する決定工程と、
前記第１ペアのビデオとオーディオの送信を停止させる停止工程と、
前記トランスポート・ストリーム内の複数の番組コンポーネントを前記第１ペアのビデオとオーディオに置き換える置換工程であって、前記複数の番組コンポーネントが、組み合わされると複数の異なる番組コンテンツになり得るものであるとともに、それぞれの帯域幅部分を利用するものと
を含み、前記帯域幅部分の合計が前記帯域幅を超えない方法。
（５１）前記帯域幅が、ビデオとオーディオとの第２ペアの帯域幅利用レートに従って変化する（５０）項に記載の方法。
（５２）前記複数の番組コンポーネントが、フルモーション・ビデオ、静止フレーム・ビデオ、オーディオ、グラフィックス、テクスト、アニメーションおよびメディア・オブジェクトから成るグループから選択される（５０）項に記載の方法。
（５３）前記オーディオが、ＣＤより低音質のオーディオを含む（５２）項に記載の方法。
（５４）前記静止フレーム・ビデオが、Ｉフレームを含む（５２）項に記載の方法。
（５５）前記フルモーション・ビデオが、デジタル的に圧縮されたビデオを含む（５２）項に記載の方法。
（５６）前記フルモーション・ビデオが、低解像度ビデオを含む（５２）項に記載の方法。
（５７）前記フルモーション・ビデオが、低フレーム・レート・ビデオを含む（５２）項に記載の方法。
（５８）前記フルモーション・ビデオが、低品質ビデオを含む（５２）項に記載の方法。